(57)【要約】      （修正有）【課題】ドライバーヘッドの交換を迅速に行うことが可能であり、部材が簡単であり、作製及び組付けが容易となり、高速に回転しても、焼付けが発生しないドライバーヘッド交換可能な工具とそのキットを提供する。【解決手段】その両端には、収容空間と、駆動端と、が設けられており、収容空間の裏壁面には、軸方向に沿って延びる多数のリブ１３と、これらのリブ１３の間に設けられている多数の溝１４と、が設けられている連接スリーブ１０と、連接スリーブ１０にその軸方向に沿って摺動可能に嵌め設けられており、連接スリーブ１０と互いに規制し、その内壁面には、凹部と、凹部に対して相対的に突出する凸部と、が設けられている外ブッシュ２０と、リブ１３のうちの一つに設けられており、連接スリーブ１０と外ブッシュ２０の間に設けられており、収容空間に選択的に突出することが可能な少なくとも一つの規制具３０と、を含む。【選択図】図２
0003194138.tif 000002
【実用新案登録請求の範囲】
【請求項１】
その両端には、収容空間と、駆動端と、が設けられており、前記収容空間の裏壁面には、軸方向に沿って延びる多数のリブと、これらの前記リブの間に設けられている多数の溝と、が設けられており、その軸方向から見れば、前記各リブは、隣接する二つの溝を連接する円弧形突起を有し、前記収容空間のこれらの前記溝には、ドライバーヘッドの多角ボール状ヘッドを挿入することが可能な連接スリーブと、
前記連接スリーブにその軸方向に沿って摺動可能に嵌め設けられており、前記連接スリーブと互いに規制し、その内壁面には、凹部と、前記凹部に対して相対的に突出する凸部と、が設けられており、第１位置と第２位置の間にスライドすることが可能な外ブッシュと、
前記リブのうちの一つに設けられており、前記連接スリーブと前記外ブッシュの間に設けられており、前記収容空間に選択的に突出することが可能な少なくとも一つの規制具と、を含むドライバーヘッド交換可能な工具キットにおいて、
何れかの隣接する二つの前記円弧形突起の延長線は、前記連接スリーブ内に交差せず、
前記外ブッシュが前記第１位置に位置するときには、前記凸部が前記規制具を押付けて、前記規制具が前記収容空間に突出し、これにより、前記規制具が前記多角ボール状ヘッドを係止して、前記多角ボール状ヘッドが前記収容空間から離脱することができず、
前記外ブッシュが前記第２位置に位置するときには、前記凹部が前記規制具に対向して、前記規制具が前記凹部に後退することが可能であり、これにより、前記多角ボール状ヘッドを前記収容空間から抜き出すことが可能であることを特徴とする、
ドライバーヘッド交換可能な工具キット。
【請求項２】
前記連接スリーブの前記収容空間の開口のエッジには、第１環状面取りが設けられていることを特徴とする、請求項１に記載のドライバーヘッド交換可能な工具キット。
【請求項３】
前記外ブッシュの一端には、半径方向に延びる位置決め縁が設けられており、前記外ブッシュの軸方向から見れば、前記位置決め縁から構成される開口の寸法は、前記収容空間の開口よりも小さくなく、前記ドライバーヘッドは、更に、前記多角ボール状ヘッドの上方に設けられている半径方向凸縁を含み、前記外ブッシュが前記第１位置に位置し前記半径方向凸縁が前記位置決め縁に規制されて前記位置決め縁から構成される開口の内部に位置するときには、前記ドライバーヘッドと前記連接スリーブが相対的に回転できず、前記外ブッシュが前記第１位置に位置し前記半径方向凸縁が前記位置決め縁から構成される開口の内部に位置していないときには、前記ドライバーヘッドは、前記多角ボール状ヘッドを中心として、前記連接スリーブに対して相対的に揺動することが可能であることを特徴とする、請求項１に記載のドライバーヘッド交換可能な工具キット。
【請求項４】
前記外ブッシュの前記位置決め縁から構成される開口のエッジには、第２環状面取りが設けられていることを特徴とする、請求項３に記載のドライバーヘッド交換可能な工具キット。
【請求項５】
前記連接スリーブの前記収容空間の開口のエッジには、第１環状面取りが設けられており、前記外ブッシュの前記位置決め縁から構成される開口のエッジには、第２環状面取りが設けられており、前記第１環状面取りが外側に位置し、前記第２環状面取りが前記第１環状面取りよりも内側に位置することを特徴とする、請求項４に記載のドライバーヘッド交換可能な工具キット。
【請求項６】
前記位置決め縁と前記収容空間から、階段が形成されることを特徴とする、請求項３に記載のドライバーヘッド交換可能な工具キット。
【請求項７】
軸方向から見れば、前記位置決め縁の少なくとも一部は、前記半径方向凸縁と前記連接スリーブの間に重なることを特徴とする、請求項３に記載のドライバーヘッド交換可能な工具キット。
【請求項８】
前記位置決め縁の上面には、第１階段部が設けられており、前記第１階段部は、前記位置決め縁から構成される開口のエッジに沿って設けられていることを特徴とする、請求項７に記載のドライバーヘッド交換可能な工具キット。
【請求項９】
前記連接スリーブと前記外ブッシュの間には、更に、弾性具が設けられていることを特徴とする、請求項１に記載のドライバーヘッド交換可能な工具キット。
【請求項１０】
前記連接スリーブの上面に第３階段部が設けられており、前記第３階段部は、前記収容空間の開口の内側のエッジに沿って設けられており、前記ドライバーヘッドは、更に、前記多角ボール状ヘッドの上方に設けられている半径方向凸縁を含み、前記外ブッシュが前記第１位置に位置し前記半径方向凸縁が前記第３階段部内に規制されているときには、前記ドライバーヘッドと前記連接スリーブが相対的に回転できず、前記外ブッシュが前記第１位置に位置し前記半径方向凸縁が前記第３階段部内に位置していないときには、前記ドライバーヘッドは、前記多角ボール状ヘッドを中心として、前記連接スリーブに対して相対的に揺動することが可能であることを特徴とする、請求項１に記載のドライバーヘッド交換可能な工具キット。
【請求項１１】
請求項１から１０の何れかの一つに記載のドライバーヘッド交換可能な工具キットを含み、
更に、ドライバーヘッドを含み、前記ドライバーヘッドは、多角ボール状ヘッドと、前記多角ボール状ヘッドの上方に設けられている半径方向凸縁と、を含み、前記連接スリーブの収容空間に脱着することが可能であることを特徴とするドライバーヘッド交換可能な工具。
【請求項１２】
前記半径方向凸縁の底面に第２階段部が設けられており、軸方向から見れば、前記第２階段部の少なくとも一部は前記位置決め縁に重なることを特徴とする、請求項１１に記載のドライバーヘッド交換可能な工具。
【考案の詳細な説明】
【技術分野】
【０００１】
本考案は、ドライバーヘッド交換可能な工具とそのキットに関するものである。
【背景技術】
【０００２】
従来の二段式の継ぎ手は、支持ロッドの多角ボール状ヘッドが工作ヘッドの収容空間に収容される。前記収容空間の形状は、前記多角ボール状ヘッドに対応する多角形を呈する。連結構造により、前記支持ロッドを押し込むと、前記支持ロッドは前記工作ヘッドに固定される。
また、前記支持ロッドを引き出すと、前記支持ロッドは前記工作ヘッドに対して旋回することが可能である。例えば特許文献１の台湾特許ＴＷ５６６２８４号及び特許文献２の台湾特許ＴＷＭ３５７３４４号が提案されている。
【０００３】
特許文献１の台湾特許ＴＷ５６６２８４号の工具は、収容空間の裏壁が多角形を呈するため、多角ボール状ヘッドと前記収容空間の接触が面と面の接触である。電動駆動装置により支持ロッドを駆動して、前記支持ロッドが工作ヘッドに対して高速で回転しているときには、前記多角ボール状ヘッドと前記収容空間の摩擦が大きすぎて溶着する可能性がある。このように、前記電動駆動装置及び前記工具は損壊しやすい。また、前記多角ボール状ヘッドと前記収容空間が溶着しなくても、摩擦が大きいため、エネルギーを無駄に消耗する。
【０００４】
上記の問題を解決するために、特許文献２の台湾特許ＴＷＭ３５７３４４号が提案された。このような工具は、収容空間の側壁に、多角ボール状ヘッドに対応する凸縁が多数設けられている。これらの前記凸縁は、前記収容空間の前記側壁に等距離に設けられており、その数量が前記多角ボール状ヘッドのコーナーの数量と同じである。前記各凸縁は、前記多角ボール状ヘッドに接触する円弧形接触面を有する。このように、支持ロッドは工作ヘッドと連動して回転することが可能である。
【０００５】
しかし、これら上記の工具は、前記多角ボール状ヘッドの各コーナー部を有効に止める止め縁を有しないため、高速に回転しているときに、ドライバーヘッドが脱出しやすい。このため、作業効率が悪く、作業が中断しやすく、更に、人身事故を発生させる可能性がある。
【０００６】
現在、多角ボール状ヘッドが収容空間に常時に挿入されている二段式継ぎ手工具を有するが、多数の仕様の被駆動具を締め付け、又は緩めたいときにドライバーヘッドを交換する場合には、ドライバーヘッドだけではなく、工具キットを交換することが必要である。そのため、大量の工具キットを購入することが必要となり、さらに工数がかなり掛かる。
【先行技術文献】
【特許文献】
【０００７】
【特許文献１】台湾特許ＴＷ５６６２８４号公報
【特許文献２】台湾特許ＴＷＭ３５７３４４号公報
【考案の概要】
【考案が解決しようとする課題】
【０００８】
本考案の主な目的は、ドライバーヘッドの交換を迅速に行うことが可能であり、部材が簡単であり、作製及び組付けが容易となり、摩擦力が大幅に減少し、操作が便利になり、作業効率を大幅に増加させることが可能であり、高速に回転しても、焼付けが発生しないドライバーヘッド交換可能な工具とそのキットを提供することにある。
【課題を解決するための手段】
【０００９】
本考案のドライバーヘッド交換可能な工具キットは、その両端には、収容空間と、駆動端と、が設けられており、収容空間の裏壁面には、軸方向に沿って延びる多数のリブと、これらのリブの間に設けられている多数の溝と、が設けられており、その軸方向から見れば、各リブは、隣接する二つの溝を連接する円弧形突起を有し、収容空間のこれらの溝には、ドライバーヘッドの多角ボール状ヘッドを挿入することが可能な連接スリーブと、連接スリーブにその軸方向に沿って摺動可能に嵌め設けられており、連接スリーブと互いに規制し、その内壁面には、凹部と、凹部に対して相対的に突出する凸部と、が設けられており、第１位置と第２位置の間にスライドすることが可能な外ブッシュと、リブのうちの一つに設けられており、連接スリーブと外ブッシュの間に設けられており、収容空間に選択的に突出することが可能な少なくとも一つの規制具と、を含むドライバーヘッド交換可能な工具キットにおいて、何れかの隣接する二つの円弧形突起の延長線は、連接スリーブ内に交差せず、外ブッシュが第１位置に位置するときには、凸部が規制具を押付けて、規制具が収容空間に突出し、これにより、規制具が多角ボール状ヘッドを係止して、多角ボール状ヘッドが収容空間から離脱することができず、外ブッシュが第２位置に位置するときには、凹部が規制具に対向して、規制具が凹部に後退することが可能であり、これにより、多角ボール状ヘッドを収容空間から抜き出すことが可能であることを特徴とする。
【００１０】
本考案のドライバーヘッド交換可能な工具キットは、連接スリーブの収容空間の開口のエッジには、第１環状面取りが設けられていることを特徴とする。
【００１１】
本考案のドライバーヘッド交換可能な工具キットは、外ブッシュの一端には、半径方向に延びる位置決め縁が設けられており、外ブッシュの軸方向から見れば、位置決め縁から構成される開口の寸法は、収容空間の開口よりも小さくなく、ドライバーヘッドは、更に、多角ボール状ヘッドの上方に設けられている半径方向凸縁を含み、外ブッシュが第１位置に位置し半径方向凸縁が位置決め縁に規制されて位置決め縁から構成される開口の内部に位置するときには、ドライバーヘッドと連接スリーブが相対的に回転できず、外ブッシュが第１位置に位置し半径方向凸縁が位置決め縁から構成される開口の内部に位置していないときには、ドライバーヘッドは、多角ボール状ヘッドを中心として、連接スリーブに対して相対的に揺動することが可能であることを特徴とする。
【００１２】
本考案のドライバーヘッド交換可能な工具キットは、外ブッシュの位置決め縁から構成される開口のエッジには、第２環状面取りが設けられていることを特徴とする。
【００１３】
本考案のドライバーヘッド交換可能な工具キットは、連接スリーブの収容空間の開口のエッジには、第１環状面取りが設けられており、外ブッシュの位置決め縁から構成される開口のエッジには、第２環状面取りが設けられており、第１環状面取りが外側に位置し、第２環状面取りが第１環状面取りよりも内側に位置することを特徴とする。
【００１４】
本考案のドライバーヘッド交換可能な工具キットは、位置決め縁と収容空間から、階段が形成されることを特徴とする。
【００１５】
本考案のドライバーヘッド交換可能な工具キットは、軸方向から見れば、位置決め縁の少なくとも一部は、半径方向凸縁と連接スリーブの間に重なることを特徴とする。
【００１６】
本考案のドライバーヘッド交換可能な工具キットは、位置決め縁の上面には、第１階段部が設けられており、第１階段部は、位置決め縁から構成される開口のエッジに沿って設けられていることを特徴とする。
【００１７】
本考案のドライバーヘッド交換可能な工具キットは、連接スリーブと外ブッシュの間には、更に、弾性具が設けられていることを特徴とする。
【００１８】
本考案のドライバーヘッド交換可能な工具キットは、連接スリーブの上面に第３階段部が設けられており、第３階段部は、収容空間の開口の内側のエッジに沿って設けられており、ドライバーヘッドは、更に、多角ボール状ヘッドの上方に設けられている半径方向凸縁を含み、外ブッシュが第１位置に位置し半径方向凸縁が第３階段部内に規制されているときには、ドライバーヘッドと連接スリーブが相対的に回転できず、外ブッシュが第１位置に位置し半径方向凸縁が第３階段部内に位置していないときには、ドライバーヘッドは、多角ボール状ヘッドを中心として、連接スリーブに対して相対的に揺動することが可能であることを特徴とする。
【００１９】
本考案のドライバーヘッド交換可能な工具によると、請求項１から１０の何れかの一つに記載のドライバーヘッド交換可能な工具キットを含み、更に、ドライバーヘッドを含み、ドライバーヘッドは、多角ボール状ヘッドと、多角ボール状ヘッドの上方に設けられている半径方向凸縁と、を含み、連接スリーブの収容空間に脱着することが可能であることを特徴とする。
【００２０】
本考案のドライバーヘッド交換可能な工具によると、半径方向凸縁の底面に第２階段部が設けられており、軸方向から見れば、第２階段部の少なくとも一部は位置決め縁に重なることを特徴とする。
【考案の効果】
【００２１】
本考案のドライバーヘッド交換可能な工具とそのキットには、次のような効果がある。
（１）外ブッシュと内ブッシュを相対的にスライドするだけで、ドライバーヘッドの交換を迅速に行うことが可能である。
【００２２】
（２）部材が簡単であり、作製及び組付けが容易である。
【００２３】
（３）多数のリブはより大きい曲率半径を有する円弧面（接触面）を有するため、ドライバーヘッドは連接スリーブに対してスムーズに揺動することが可能であり、高速に回転しても、焼付けが発生しない。
【００２４】
（４）外ブッシュ、又はドライバーヘッドの半径方向凸縁には、階段構造を有するため、ドライバーヘッドの抜き出しが容易となり、ドライバーヘッドの交換が便利となる。
【図面の簡単な説明】
【００２５】
【図１】本考案の実施例１を示す斜視図である。
【図２】本考案の実施例１を示す分解斜視図である。
【図３】本考案の実施例１を示す断面図である。
【図４】本考案の実施例１を示す断面図である。
【図５】本考案の実施例１を示す断面図である。
【図６】本考案の実施例１の使用状態を示す模式図である。
【図７】本考案の実施例１の使用状態を示す模式図である。
【図８】本考案の実施例１の使用状態を示す模式図である。
【図９】本考案の実施例１の使用状態を示す模式図である。
【図１０】本考案の実施例２を示す模式図である。
【図１１】本考案の実施例２を示す模式図である。
【図１２】本考案の実施例３を示す模式図である。
【図１３】本考案の実施例３を示す模式図である。
【図１４】本考案の実施例４を示す模式図である。
【図１５】本考案の実施例４を示す模式図である。
【考案を実施するための形態】
【００２６】
以下、本考案の実施の形態を図面に基づいて説明する。
【００２７】
（実施例１）
図１から図６を参照する。図１は本考案の実施例１を示す斜視図であり、図２は本考案の実施例１を示す分解斜視図であり、図３から図５は本考案の実施例１を示す断面図であり、図６から図９は本考案の実施例１の使用状態を示す模式図である。本実施例のドライバーヘッド交換可能な工具キット１は、連接スリーブ１０と、外ブッシュ２０と、少なくとも一つの規制具３０と、含む。
【００２８】
連接スリーブ１０の両端には、収容空間１１と、駆動端１２と、が設けられている。収容空間１１の裏壁面には、軸方向に沿って延びる多数のリブ１３と、これらのリブ１３の間に設けられている多数の溝１４と、が設けられている。その軸方向に沿って見れば、各リブ１３は、隣接する二つの溝１４を連接する円弧形突起１３１を有する。
図４及び図５に示すように、何れかの隣接する二つの円弧形突起１３１の延長線は、連接スリーブ１０内に交差しない。すなわち、各リブ１３は、より大きい曲率半径を有する円弧面を有する。これらの溝１４には、ドライバーヘッド４０の多角ボール状ヘッド４１を挿入することが可能である。
ドライバーヘッド４０は、更に、多角ボール状ヘッド４１の上方に設けられている半径方向凸縁４２を含む。連接スリーブ１０の収容空間１１の開口のエッジには、第１環状面取り１５が設けられている。第１環状面取り１５により、ドライバーヘッド４０の回転は容易となり、揺動可能の角度は大きくなる。
【００２９】
外ブッシュ２０は、連接スリーブ１０にその軸方向に沿って摺動可能に嵌め設けられており、連接スリーブ１０と互いに規制する。外ブッシュ２０は、連接スリーブ１０に対して第１位置と第２位置の間にスライドすることが可能である。外ブッシュ２０は、その一端に位置決め縁２１が設けられており、その内壁面には、凹部２２と、凹部２２に対して相対的に突出する凸部２３と、が設けられている。
外ブッシュ２０の一端には、半径方向に延びる位置決め縁２１が設けられている。外ブッシュ２０の軸方向から見れば、位置決め縁２１から構成される開口の寸法は、収容空間１１の開口よりも小さくない。位置決め縁２１と収容空間１１から、階段が形成される。前記階段により、ドライバーヘッド４０の回転及び揺動可能の角度は影響されない。外ブッシュ２０の位置決め縁２１から構成される開口のエッジには、第２環状面取り２４が設けられており、第１環状面取り１５が外側に位置し、第２環状面取り２４が第１環状面取り１５よりも内側に位置することが好ましい。
【００３０】
本実施例では、連接スリーブ１０と外ブッシュ２０の間には、更に、弾性具５０が設けられている。弾性具５０により、連接スリーブ１０と外ブッシュ２０は互いに離れる傾向を有する。
【００３１】
本実施例では、規制具３０は、三つあり、同じ距離を置いて設けられている。各規制具３０は、リブ１３のうちの一つに設けられており、連接スリーブ１０と外ブッシュ２０の間に設けられており、収容空間１１に選択的に突出することが可能である。規制具３０は、玉であり、連接スリーブ１０に設けられている穿孔に移動可能に収容されている。
【００３２】
図７から図９を参照する。外ブッシュ２０が第１位置に位置するときには、図６及び図７に示すように、凸部２３が規制具３０を押付けて、規制具３０が収容空間１１に突出する。これにより、規制具３０が多角ボール状ヘッド４１を係止して、ドライバーヘッド４０が収容空間１１から離脱することができない。
外ブッシュ２０が第１位置に位置し半径方向凸縁４２が位置決め縁２１に規制されて位置決め縁２１から構成される開口の内部に位置するときには、図６に示すように、ドライバーヘッド４０と連接スリーブ１０が相対的に回転できず、ドライバーヘッド４０が連接スリーブ１０に対して相対的に揺動することもできない。外ブッシュ２０が第１位置に位置し半径方向凸縁４２が位置決め縁２１から構成される開口の内部に位置していないときには、図７に示すように、ドライバーヘッド４０は、多角ボール状ヘッド４１を中心として、連接スリーブ１０に対して相対的に揺動することが可能である。
外ブッシュ２０が前記第２位置に位置するときには、図８に示すように、凹部２２が規制具３０に対向して、規制具３０が凹部２２に後退することが可能であり、これにより、多角ボール状ヘッド４１を収容空間１１から抜き出し、又は収容空間１１に差し込むことが可能である。多角ボール状ヘッド４１を収容空間１１から抜き出した後、図９に示すように、弾性具５０の弾力により、連接スリーブ１０と外ブッシュ２０が前記第１位置に戻る。
【００３３】
（実施例２）
図１０及び図１１を参照する。図１０から図１１は本考案の実施例２を示す模式図である。ドライバーヘッド交換可能な工具キット１ａの外ブッシュ２０ａに位置決め縁２１ａが設けられている。外ブッシュ２０ａの軸方向から見れば、位置決め縁２１ａの少なくとも一部は、ドライバーヘッド４０の半径方向凸縁４２と連接スリーブ１０の間に重なる。
具体的には、位置決め縁２１ａの上面には、第１階段部２１１が設けられている。第１階段部２１１は、位置決め縁２１ａから構成される開口のエッジに沿って設けられている。このように、外ブッシュ２０ａを前記第２位置に移動すると同時に、ドライバーヘッド４０を抜き出すことが可能であり、ドライバーヘッド４０の交換が便利となる。
【００３４】
（実施例３）
図１２及び図１３を参照する。図１２から図１３は本考案の実施例３を示す模式図である。ドライバーヘッド交換可能な工具キット１ｂは、ドライバーヘッド４０ａの半径方向凸縁４２ａの底面に第２階段部４２１が設けられている。ドライバーヘッド４０ａの軸方向から見れば、第２階段部４２１の少なくとも一部は外ブッシュ２０の位置決め縁２１に重なる。このように、外ブッシュ２０を前記第２位置に移動すると同時に、ドライバーヘッド４０ａを抜き出すことが可能であり、ドライバーヘッド４０ａの交換が便利となる。
【００３５】
（実施例４）
図１４及び図１５を参照する。図１４から図１５は本考案の実施例４を示す模式図である。ドライバーヘッド交換可能な工具キット１ｃは、連接スリーブ１０ａの上面に第３階段部１７が設けられている。第３階段部１７は、収容空間１１ａの開口の内側のエッジに沿って設けられている。
外ブッシュ２０ｂが前記第１位置に位置しドライバーヘッド４０の半径方向凸縁４２が第３階段部１７内に規制されているときには、図１４に示すように、ドライバーヘッド４０と連接スリーブ１０ａが相対的に回転できない。外ブッシュ２０ｂが前記第１位置に位置し半径方向凸縁４２が第３階段部１７内に位置していないときには、図１５に示すように、ドライバーヘッド４０は、多角ボール状ヘッド４１を中心として、連接スリーブ１０ａに対して相対的に揺動することが可能である。
【００３６】
本考案のドライバーヘッド交換可能な工具２は、ドライバーヘッド交換可能な工具キット１、１ａ、１ｂ、１ｃのうちの何れかの一つを含む。ドライバーヘッド交換可能な工具２は、更に、ドライバーヘッド４０を含む。ドライバーヘッド４０は、多角ボール状ヘッド４１と、多角ボール状ヘッド４１の上方に設けられている半径方向凸縁４２と、を含み、連接スリーブ１０の収容空間１１に脱着することが可能である。
【００３７】
なお、本考案は前記実施の形態に限定されるものではなく、本考案の趣旨に基づいて種々変形させることが可能であり、それらを本考案の実用新案登録請求の範囲から排除するものではない。
【００３８】
本考案は、手工具に適用することができる。
【符号の説明】
【００３９】
１、１ａ、１ｂ、１ｃ  ドライバーヘッド交換可能な工具キット
２  ドライバーヘッド交換可能な工具
１０、１０ａ  連接スリーブ
１１、１１ａ  収容空間
１２  駆動端
１３  リブ
１４  溝
１５  第１環状面取り
１６  肩部
１７  第３階段部
２０、２０ａ、２０ｂ  外ブッシュ
２１、２１ａ  位置決め縁
２２  凹部
２３  凸部
２４  第２環状面取り
３０  規制具
４０、４０ａ  ドライバーヘッド
４１  多角ボール状ヘッド
４２、４２ａ  半径方向凸縁
５０  弾性具
６０  規制リング
１３１  円弧形突起
２１１  第１階段部
４２１  第２階段部
【図１】
0003194138.tif 000003
【図２】
0003194138.tif 000004
【図３】
0003194138.tif 000005
【図４】
0003194138.tif 000006
【図５】
0003194138.tif 000007
【図６】
0003194138.tif 000008
【図７】
0003194138.tif 000009
【図８】
0003194138.tif 000010
【図９】
0003194138.tif 000011
【図１０】
0003194138.tif 000012
【図１１】
0003194138.tif 000013
【図１２】
0003194138.tif 000014
【図１３】
0003194138.tif 000015
【図１４】
0003194138.tif 000016
【図１５】
0003194138.tif 000017